(57)【特許請求の範囲】
【請求項１】
リニアイメージセンサから出力される奇数画素信号と偶数画素信号とを交互に取り込んで出力信号としての画像信号を得、この画像信号を構成する各画素信号を補正する装置において、
補正前の当該画素信号のレベルと、この前後の画素信号のレベルとを記憶する記憶手段と、
この記憶手段に接続される演算手段と、
補正前の当該画素信号または補正後の当該画素信号を選択して出力する選択手段とを有し、
前記演算手段は、
補正前の当該画素信号のレベルをＳ、当該画素信号の前側の補正前画素信号のレベルをＳｐ、当該画素信号の後側の補正前画素信号のレベルをＳａ、補正後の当該画素信号のレベルをＳｃとしたとき、Ｓｃを、
Ｓｃ＝（Ｓｐ＋２Ｓ＋Ｓａ）／４
として求め、
前記選択手段は、前後の補正前の画素信号のレベルの平均値｛（Ｓｐ＋Ｓａ）／２｝が第１の基準値より小さく、かつ差（Ｓａ−Ｓｐ）の絶対値が第２の基準値より小さいときに、補正後の当該画素信号のレベルＳｃを選択し、それ以外のときに補正前の当該画素信号のレベルＳを選択して出力する
ことを特徴とするリニアイメージセンサの出力信号補正装置。
【発明の詳細な説明】
【０００１】
【発明の属する技術分野】
この発明は、画像撮像手段としてＣＣＤ等のリニアイメージセンサを有する画像読取装置に適用して好適なリニアイメージセンサの出力信号補正装置に関する。
【０００２】
【従来の技術】
画像読取装置は、例えば、原稿台上に載せられた原稿に照明光を照射することにより、前記原稿に担持された画像情報を含む光を、反射光または透過光として集光光学系に導いた後、ＣＣＤ等のリニアイメージセンサで光電的に読み取るように構成されている。この場合、リニアイメージセンサにより原稿を主走査方向に読み取るとともに、前記原稿を前記主走査方向と略直交する副走査方向に相対的に搬送することで、２次元的な画像情報を得ることができる。
【０００３】
図６に模式的に示すように、一般的なリニアイメージセンサ１は、基本的には、光電変換画素（単に、画素ともいう。）Ｐが長手方向に直線状に連結された受光部２と、この受光部２に沿って両側に形成された奇数画素転送部３ｏと偶数画素転送部３ｅからなる転送部３とから構成されている。実際上、転送部３は、図示していないアルミ蒸着膜等の金属膜で覆われ、光Ｌを遮光するように構成されている。
【０００４】
受光部２によって受光された光Ｌは、各画素Ｐにより光電変換され、一定時間間隔で発生するシフトパルス毎に奇偶画素Ｐｏ、Ｐｅがそれぞれ対応する奇偶画素転送部３ｏ、３ｅにシフトされた後、転送クロックにより、ＦＤＡ（フローティング  ディフュージョン  アンプ）４ｏ、４ｅを通じ、リニアイメージセンサ１の出力端子を介して奇数画素信号Ｓｏおよび偶数画素信号Ｓｅとして出力される。
【０００５】
この奇数・偶数画素信号Ｓｏ、Ｓｅは、図示していない利得可変増幅器および切換スイッチを通じて交互に取り込まれ、Ａ／Ｄ変換器（図示していない。）を介してデジタル画像信号に変換された後、ラインメモリ等に記憶される。
【０００６】
【発明が解決しようとする課題】
ところで、奇数画素信号Ｓｏと偶数画素信号Ｓｅとは、ある一定光量下において、それぞれの出力振幅がたとえ、同一になるように前記利得可変増幅器により調整された場合においても、奇数光電変換画素Ｐｏと偶数光電変換画素Ｐｅとのリニアリティ（微小光量変化分に対する光電変換信号の振幅の変化量）の違いにより、前記ラインメモリに記憶されたデジタル画像信号のレベルが奇数画素信号Ｓｏと偶数画素信号Ｓｅで異なる、現象的にみれば信号のレベルが１画素毎に方形波リップル的に異なることとなり、このような画像信号に基づいて画像を再生した場合、前記副走査方向に対応した方向に周期的な縦筋が現れてしまうという問題が発生する。
【０００７】
実際上、網点画像（網画像）を出力する場合には、網の角度やスクリーン線数とこの周期的な縦筋とのビートに係る模様が網画像上に現れてしまうことになる。
【０００８】
この問題を解消するために、従来から、リニアイメージセンサ１に係わる、いわゆる奇偶差補正処理を行っている。この奇偶差補正処理は、補正後の当該画素信号をＳｃとし、補正前の当該画素信号をＳとし、補正前の当該画素信号の１画素前の画素信号をＳｐとするとき、補正後の当該画素信号Ｓｃをこれら２画素の移動平均である次の（１）式により求めるようにしている。
【０００９】
Ｓｃ＝（Ｓｐ＋Ｓ）／２                    …（１）
ところが、この（１）式による補正処理によれば、ラケットのガットのような副走査方向に延びる細い縦線を含む画像においては、ＭＴＦが劣化して画像がぼけるという欠点がある。
【００１０】
このＭＴＦの劣化をできるだけ抑制するために、本出願人は、人の視覚特性が、画像の低濃度側（原稿画像のハイライト側）ではＭＴＦが低く、高濃度側（原稿画像のシャドウ側）ではＭＴＦが高いことに着目して、濃度値が値２．０より高濃度側では全て移動平均による補正を行い、濃度値が値２．０より低濃度側では前記移動平均の重みが徐々に小さくなるような補正を行うようにした技術を採用している。
【００１１】
図７は、この技術による重み係数ｋの特性を示している。なお、図７において、横軸の右側は濃度ＤのハイライトＨＬ側に、左側はシャドウＳＤ側にとっている。図７に示すこの重み係数ｋを使用した２画素の移動平均による補正後の当該画像信号Ｓｃを（２）式により求めるようにしている。
【００１２】
Ｓｃ＝Ｓ−ｋ｛Ｓ−（Ｓ＋Ｓｐ）／２｝        …（２）
図７と（２）式から理解されるように、この補正技術では、濃度Ｄの値がＤ＝Ｄａ（実際の値としては、濃度Ｄ＝Ｄａ＝２）より高い部分では、ｋ＝１であるので、（２）式は、（１）式と同じ連続する２画素の移動平均となり、濃度Ｄの値がＤ＝Ｄｂ（実際の値としては、濃度Ｄ＝Ｄｂ＝１．０より低い部分では、補正後の画素信号Ｓｃとして、補正前の当該画素信号Ｓがそのまま出力される（Ｓｃ＝Ｓ）。そして、濃度Ｄｂから濃度Ｄａにかかけて徐々に平均化の重みが高くなるようにしている。
【００１３】
このように濃度Ｄに依存した２画素の移動平均により、リニアイメージセンサ１に係わる奇偶差偏差を補正することで、上述したラケットのガットのような副走査方向に延びる細い縦線を含む画像におけるＭＴＦの劣化を、視認することのできない最小限のものとすることができる。
【００１４】
しかしながら、さらに、精緻な画像を得るために、ダイナミックレンジのより大きいリニアイメージセンサ１を使用した場合において、上述の（２）式による補正処理では、図８に示すように、濃度ＤがＤ＝Ｄａより低い低濃度側では、連続２画素の平均値が補正後の画像データとされるが、これは、出力画像データが、１／２画素分前側にシフトしたことと等価なことになる。一方、濃度ＤがＤ＝Ｄａより高い高濃度側では、補正がかけられないので、出力画像データの位置はシフトしない。したがって、この切り替わり部分で、いわゆる片エッジが顕著に発生してしまう。
【００１５】
詳しく説明すると、主走査方向における画像の立ち上がりエッジ側では、画像データが本来の画像データ（補正前の当該画像データ）より小さくなり（いわゆる１／２画素分食い込み）、立ち下がりエッジ側では、本来の値より大きくなる（いわゆる１／２画素分膨らむ）方向に作用する。したがって、上述したラケットのガットのような細い縦線に対して、ダイナミックレンジの広いリニアイメージセンサ１により得られた画像信号に（２）式に基づく補正を行った場合には、縦方向（副走査方向）のガット部分の片側（図８中、主走査方向の後ろ側）がぼけた状態の画像になってしまうという新たな問題が発生する。
【００１６】
この発明はこのような課題を考慮してなされたものであり、リニアイメージセンサの奇偶差補正を行っても、いわゆる片エッジが発生しない、すなわち、画像の重心位置が変化しないリニアイメージセンサの出力信号補正装置を提供することを目的とする。
【００１７】
また、この発明は、リニアイメージセンサの奇偶差補正を行っても、画像の重心位置が変化せず、しかも原稿画像の内容に応じて適切な奇偶差補正を行うことを可能とするリニアイメージセンサの出力信号補正装置を提供することを目的とする。
【００２１】
【課題を解決するための手段】
この発明は、例えば、図３に示すように、
リニアイメージセンサから出力される奇数画素信号と偶数画素信号とを交互に取り込んで出力信号としての画像信号Ｓｄを得、この画像信号を構成する各画素信号を補正する装置において、補正前の当該画素信号のレベルＳと、この前後の画素信号のレベルＳｐ、Ｓａとを記憶する記憶手段６１〜６３と、この記憶手段に接続される演算手段７１と、補正前の当該画素信号Ｓまたは補正後の当該画素信号Ｓｃを選択して出力する選択手段７２、７３、７５、７６、７７、７８とを有し、演算手段は、補正前の当該画素信号のレベルをＳ、当該画素信号の前側の補正前画素信号のレベルをＳｐ、当該画素信号の後側の補正前画素信号のレベルをＳａ、補正後の当該画素信号のレベルをＳｃとしたとき、Ｓｃを、Ｓｃ＝（Ｓｐ＋２Ｓ＋Ｓａ）／４として求め、選択手段は、前後の補正前の画素信号のレベルの平均値Ｄｘ＝｛（Ｓｐ＋Ｓａ）／２｝が第１の基準値より小さく、かつ差Ｃｘ＝（Ｓａ−Ｓｐ）の絶対値が第２の基準値より小さいときに、補正後の当該画素信号のレベルＳｃを選択し、それ以外のときに補正前の当該画素信号のレベルＳを選択して出力することを特徴とする。
【００２２】
この発明によれば、前後の補正前の画素信号のレベルの平均値と差に基づき、補正前の当該画素信号または補正後の当該画素信号を選択して出力するようにしているので、補正後の画像信号の重心位置が変化しないことに加えて、平均値に対応する画像の濃度と、差に対応する画像のコントラストに基づき補正の要否を選択することができる。
【００２３】
この場合、前後の補正前画素信号のレベルの平均値｛（Ｓｐ＋Ｓａ）／２｝が比較的小さく（第１の基準値Ｄｒより小さく）、換言すれば、原稿画像の濃度が高く、かつ差（Ｓａ−Ｓｐ）の絶対値が比較的小さいとき（第２の基準値Ｃｒより小さいとき）、換言すれば、コントラストが小さいとき、すなわち、奇偶差による画像の縦筋が現れやすい（目立ちがちな）場合に、補正後の当該画素信号のレベルＳｃを選択し、それ以外の場合には補正前の当該画素信号のレベルＳを選択して出力するようにしているので、簡単な演算で、補正後の画像信号の重心位置が変化しないことに加えて、平均値に対応する画像の濃度と、差に対応する画像のコントラストに基づき補正の要否を適切に選択することができる。
【００２４】
【発明の実施の形態】
以下、この発明の一実施の形態について図面を参照して説明する。なお、以下に参照する図面において、上述の図６〜図８に示したものと対応するものには同一の符号を付けてその詳細な説明は省略する。また、図面を繰り返して掲載する煩雑さを避けるために、必要に応じてそれらの図面をも参照して説明する。
【００２５】
図１は、この実施の形態が適用された画像読取装置１０の概略的な構成を示している。この画像読取装置１０は、搬送機構１１により矢印Ｙ方向（副走査方向ともいう。）に搬送される原稿カセット１２が照明光学系（照明光源ともいう。）１４からの照明光によって矢印Ｘ方向（主走査方向Ｘともいう。）に沿って照明され、原稿カセット１２に保持された透過型原稿Ｆに記録された画像情報が、透過光Ｌとして複数の集光レンズからなる結像光学系１６により結像部１８に集光され、結像部１８により電気信号に変換されるように構成される。
【００２６】
照明光源１４は、内周面に光の拡散面が形成され、長手方向に沿ってスリット２０が形成された円筒状の拡散キャビティ２２と、この拡散キャビティ２２の両端部に装着されたハロゲンランプ等からなる光源２４ａ、２４ｂとから構成される。
【００２７】
結像部１８は、スリット３１が形成された基台２８の下面部に装着され、透過光ＬをＲ、Ｇ、Ｂの光に分解するためのプリズム３２ａ〜３２ｃを有し、各プリズム３２ａ〜３２ｃには、光電変換素子としてのライン状のＣＣＤリニアイメージセンサセンサ１ａ〜１ｃが固定されている。このリニアイメージセンサ１ａ〜１ｃの基本的構成は、図６に示したものと同一の構成である。
【００２８】
このリニアイメージセンサ１ａ〜１ｃから出力される各々の奇数画素信号Ｓｏと偶数画素信号Ｓｅは、図示しないフレキシブルプリント配線基板を通じて信号処理基板３４に供給される。
【００２９】
なお、以下に述べる奇偶差補正処理の説明においては、各リニアイメージセンサ１ａ〜１ｃに対して同一の処理が施されるので、特に必要な場合を除いては、単に、リニアイメージセンサ１という。
【００３０】
図２は、結像部１８を構成するリニアイメージセンサ１の模式的な構成と、そのリニアイメージセンサ１の出力信号である奇数画素信号Ｓｏと偶数画素信号Ｓｅの奇偶差補正処理を行う系の全体的な構成を示している。
【００３１】
図２（図６も参照）において、受光部２によって受光された透過光Ｌは、各光電変換画素Ｐにより光電変換され、周知のようにタイミング発生器５１から出力されるシフトパルス毎に奇偶画素Ｐ（Ｐ１、Ｐ２、Ｐ３、Ｐ４…）がそれぞれ対応する転送部３ｏ、３ｅにシフトされた後、タイミング発生器５１からの転送クロックにより、ＦＤＡ（フローティング  ディフュージョン  アンプ）４ｏ、４ｅを通じ、リニアイメージセンサ１の出力端子を介して奇数画素信号Ｓｏおよび偶数画素信号Ｓｅとして出力される。
【００３２】
この奇数・偶数画素信号Ｓｏ、Ｓｅは、信号処理基板３４（図１参照）に搭載されている利得可変増幅器５２、５３および切換スイッチ（マルチプレクサ）５４を通じて交互に１４ビット分解能のＡ／Ｄ変換器５５に供給される。このＡ／Ｄ変換器５５は、利得可変増幅器５２、５３を通じて供給されるアナログ信号である奇数・偶数画素信号Ｓｏ、Ｓｅを画素順番（Ｐ１、Ｐ２、…）毎にデジタル画像信号（単に、デジタル信号ともいう。）Ｓｄに変換して信号補正回路５６に供給する。
【００３３】
なお、処理の高速化のために、Ａ／Ｄ変換器５５を並列に設けて可変利得増幅器５２、５３にそれぞれ接続し、並列的なＡ／Ｄ変換器５５の出力をマルチプレクサ５４により切り換えるように構成してもよい。
【００３４】
図３は、奇偶差補正回路としての信号補正回路５６のより詳しい構成を示している。
【００３５】
入力ポート６０を通じてＡ／Ｄ変換器５５からの画像信号Ｓｄが供給され、この画像信号Ｓｄは、図示しない制御手段であるＣＰＵの制御の下に、記憶手段である、例えば、ＦＩＦＯ型のシフトレジスタ（単に、レジスタともいう。）６１、６２、６３に順次記憶される。したがって、レジスタ６２に当該画素信号ＳのレベルＳ（レベルもＳとする。）が記憶されると考えた場合、その前のレジスタ６３には、当該画素信号Ｓの１つ前の画素信号（前画素信号ともいう。）ＳｐのレベルＳｐ（レベルもＳｐとする。）が記憶され、その後ろのレジスタ６１には、当該画素信号Ｓの１つ後ろの画素信号（後画素信号ともいう）ＳａのレベルＳａ（レベルもＳａとする。）が記憶される。
【００３６】
実際上、タイミング発生器５１から供給される画素クロックに同期して、ある画素Ｐｐ（図２参照）のデジタル信号ＳｄのレベルＳｐが、まず、レジスタ６１に記憶され、次の画素クロックにより、そのレジスタ６１に記憶されたレベルＳｐがレジスタ６２に転送され、レジスタ６１には、次の画素Ｐに係る新たなデジタル信号ＳｄのレベルＳが記憶される。そして、その次の画素クロックに同期して、それぞれ、レジスタ６３、６２にレジスタ６２、６１から画素Ｐｐ、ＰのレベルＳｐ、Ｓが転送されて記憶され、レジスタ６１にその次の画素Ｐａに係る新たなデジタル信号ＳｄのレベルＳａが記憶される。以下、画素クロックの到来毎にレジスタ６１〜６３の内容が、同様の順序で更新される。
【００３７】
なお、中央のレジスタ６２に記憶される画素信号Ｓが、例えば、奇数画素信号（この画素信号はデジタル信号であるが、異なる符号を使用する煩雑さを避けるためにアナログ信号の符号である上述のＳｏを用いる。）であるとき、その前後の画素信号は偶数画素信号（同様に、符号は上述のＳｅを用いる。）であり、中央のレジスタ６２に記憶される画素信号Ｓが、例えば、偶数画素信号Ｓｅであるとき、その前後の画素信号は奇数画素信号Ｓｏであることはいうまでもない。
【００３８】
連続する３画素信号Ｓｐ、Ｓ、Ｓａは、演算手段としての連続３画素移動平均器（連続３画素重み付け移動平均器）７１に供給される。連続３画素移動平均器７１は、所定演算である次の（３）式に基づく連続３画素の重み付け移動平均演算を行って演算後の画素信号ＳｃのレベルＳｃ（レベルもＳｃとする。）を出力する。
【００３９】
0003738080.tif 000002
（３）式において、Ｕは、図４に示すように、当該画素信号Ｓの前画素信号Ｓｐと後画素信号Ｓａとの平均信号（平均レベル）を表している。
【００４０】
再び、図３において、当該画素信号Ｓは、選択手段としての切換スイッチ（マルチプレクサ）７２の一方の端子７２ｂに供給され、演算後の画素信号（補正画素信号ともいう。）Ｓｃが、他方の端子７２ｃに供給される。切換スイッチ７２の共通端子７２ａは、制御端子７２ｄに選択手段を構成する論理手段である３入力アンド回路７３から供給されている切換制御信号である選択信号ＳＥのレベルがハイレベルのとき端子７２ｃ側に切り換えられ、ローレベルのとき端子７２ｂ側に切り換えられる。
【００４１】
当該画素信号Ｓまたは演算後の画素信号Ｓｃである補正後の当該画素信号Ｓ′は、出力端子７４に現れ、以降の処理に供される。
【００４２】
上述した前後画素信号Ｓｐ、Ｓａは、それぞれ、濃度演算器７５とコントラスト演算器７６にも供給される。濃度演算器７５では、次の（４）式による濃度対応信号Ｄｘ（上述のＵと同じ。）を計算して比較器７７の比較入力端子に供給する。コントラスト演算器７６では、次の（５）式によるコントラスト対応信号Ｃｘを計算して比較器７８の比較入力端子に供給する。
【００４３】
Ｄｘ＝（Ｓｐ＋Ｓａ）／２                          …（４）
Ｃｘ＝｜Ｓｐ−Ｓａ｜                              …（５）
なお、この例では、輝度信号である濃度対応信号Ｄｘの値が大きいときに、濃度が低く（いわゆる画像のハイライトＨＬ側）、濃度対応信号Ｄｘの値が小さいときに、濃度が高い（いわゆる画像のシャドウＳＤ側）ことを意味する（図５の横軸参照。）
キーボード等のデータ入力手段である濃度入力器８１、コントラスト入力器８２を通じて、第１の基準値である所望の基準濃度信号（基準濃度ともいう。）Ｄｒ｛値（レベル）もＤｒとする。｝と第２の基準値である所望の基準コントラスト信号Ｃｒ｛値（レベル）もＣｒとする。｝が入力され、また、補正オンオフスイッチ８３の操作により、補正を行うかどうかの補正オンオフ信号Ｇ｛Ｇ＝１（ハイレベル）でオン、Ｇ＝０（ローレベル）でオフ｝が出力される。
【００４４】
比較器７７では、次の（６）式による比較演算が行われ、２値信号である比較結果信号Ｇ１が出力される。また、比較器７８では、次の（７）式による比較演算が行われ、２値信号である比較結果信号Ｇ２が出力される。
【００４５】
0003738080.tif 000003
なお、この実施の形態において、基準濃度Ｄｒと基準コントラスト値Ｃｒは、図５に示すように、それぞれ、濃度ＤがＤ＝１．０の値、１４ビットの輝度レベルに換算した場合には、値１６００、すなわち、Ｄｒ＝１６００に設定し、コントラスト値Ｃｒは、輝度レベルにおいて値５００、すなわちＣｒ＝５００に設定した。なお、基準濃度Ｄｒと基準コントラスト値Ｃｒは、例えば、この画像読取装置１０（図１参照）に接続される図示していない網画像出力機を含む、いわゆる画像読取製版システム全体の特性を考慮して決定する。
【００４６】
比較結果信号Ｇ１、Ｇ２および補正オンオフ信号Ｇ３の全ての信号のレベルがハイレベルのとき、３入力アンド回路７３の出力信号である選択信号ＳＥがハイレベルとなって、補正後の当該画素信号Ｓ′として演算された画素信号Ｓｃが出力され、信号Ｇ１〜Ｇ３のうち、いずれか１つの信号がローレベルであるときには、補正後の当該画素信号Ｓ′として元の当該画素信号Ｓが出力される。
【００４７】
このように上述の実施の形態によれば、透過型原稿Ｆの透過光Ｌに対応するリニアイメージセンサ１から出力される奇数画素信号Ｓｏと偶数画素信号Ｓｅとを切換スイッチ５４により交互に取り込んで、１４ビットのＡ／Ｄ変換器５５により画素番号が連続するデジタル画像信号Ｓｄを生成して信号補正回路５６に供給し、信号補正回路５６により、以下の補正処理を行っている。
【００４８】
すなわち、まず、連続する３つの画素信号Ｓｐ、Ｓ、Ｓａをレジスタ６１〜６３に順次記憶する。
【００４９】
次に、補正しようとする当該画素信号Ｓの補正後の画素信号Ｓ′を作成する際、連続３画素移動平均器７１により、当該画素信号Ｓと、この前後の画素信号Ｓｐ、Ｓａから（３）式に示す連続３画素の移動平均信号Ｓｃを作成しておく。
【００５０】
そして、濃度演算器７５により前後の画素信号Ｓｐ、Ｓａからこれらの平均である（４）式に示す濃度対応信号Ｄｘを計算し、画像の濃度が高いとき、人の視覚のＭＴＦが高い事実を考慮して、濃度が一定の基準レベルＤｒより高いとき（この実施の形態では、濃度Ｄ＝１．０、輝度レベルでは、濃度基準Ｄｒ＝１６００以下のとき）であって、かつ前後の画素信号Ｓｐ、Ｓａの差として得られるコントラストＣｘが小さいとき（図５中のハッチングを施した「ＯＮ」領域）、換言すれば、濃度差（輝度差）が小さいので奇偶差に基づく等ピッチの縦筋が見えやすい（再現されやすい）ときに、補正後の画素信号Ｓ′として連続３画素移動平均信号Ｓｃを出力するように設定している。
【００５１】
このため、奇偶差に基づく等ピッチの縦筋を見えなくすることができる。この場合、補正後の画素信号Ｓ′＝Ｓｃは、当該画素を含む連続する３画素の移動平均信号であるので、補正後の画素信号Ｓ′＝Ｓｃの重心位置が移動することもなくなる。
【００５２】
さらに、前後の画素の平均の濃度対応信号Ｄｘの値が大きいとき（濃度Ｄが低いとき、原稿画像のハイライトＨＬ側）、またはコントラスト対応信号Ｃｘの値が大きいとき（図５中のハッチング以外の「ＯＦＦ」領域）には、３画素移動平均処理を行わないで、補正後の画素信号Ｓ′として当該画素信号Ｓ′＝Ｓを出力するようにしている。したがって、このような条件のときには、画像のシャープ感が保持される。
【００５３】
上述のように作成した補正後の画像信号Ｓ′を基にＣＭＹＫの網％データを作成し、その網％データを各版毎に所望の網角度、スクリーン線数に基づいてビットマップ展開して２値データとし、その２値データに基づく網画像フイルムを作成し、ＰＳ版を作成して、印刷物を作成したとき、その印刷物上の網画像上で、従来の技術の項で問題となった、ラケットのガット部分の、いわゆる片エッジによるぼけが解消され、かつ原稿画像に正確に対応し、シャープ感の保持された精緻な網画像を再現することが可能となった。
【００５４】
なお、上述したように、基準濃度Ｄｒ、基準コントラストＣｒは、ともに、このような画像読取・製版システム全体の特性から、画質評価を通じて、最終的な値を決定することが好ましい。
【００５５】
また、上述の実施の形態では、補正処理を輝度信号により行っているが、この輝度信号の濃度変換を行った後の濃度信号により行ってもよいことはいうまでもない。
【００５６】
さらに、この発明は上述の実施の形態に限らずこの発明の要旨を逸脱することなく種々の構成を採り得ることはもちろんである。
【００５７】
【発明の効果】
以上説明したように、この発明によれば、リニアイメージセンサのいわゆる奇偶差補正を、当該画素を含むその前後の連続する３つの画素信号のレベルを利用して行うようにしているので、当該画素とその前の画素信号のみを利用して補正を行う従来の技術に比較して、補正後の画像の中心位置（重心位置）が変化しないという効果が達成される。
【００５８】
また、この発明によれば、前後の補正前の画素信号のレベルの平均値と差に基づき、補正前の当該画素信号または補正後の当該画素信号を選択して出力するようにしているので、補正後の画像信号の重心位置が変化しないことに加えて、平均値に対応する画像の濃度と、差に対応する画像のコントラストに基づき補正の要否を選択することができ、結果として、原稿画像の内容に応じて適切なイメージセンサに係る奇偶差補正を行うことができるという効果が達成される。
【００５９】
具体的には、当該画素信号の前後の補正前の画素信号のレベルの平均値が比較的小さく、換言すれば、原稿画像の濃度が高く、かつ差の絶対値が比較的小さいとき、換言すれば、コントラストが小さいとき、すなわち、奇偶差による画像の縦筋が目立つと予測される場合にのみ、３連続画素の移動平均信号を補正後の画素信号とすることで、奇偶差に基づく出力画像信号の段差を除去することができる。一方、原稿画像濃度が低い場合、またはコントラストが高い場合には、奇偶差に基づく画像の段差が目立たないので、この場合には、補正後の画像信号として、無補正の当該画像信号を出力するようにすることで、原稿画像のシャープ感が失われることがないという効果が達成される。
【図面の簡単な説明】
【図１】この発明の一実施の形態が適用された画像読取装置の概略的な構成を示す斜視図である。
【図２】この発明の一実施の形態の概略的構成を示す回路ブロック図である。
【図３】図２例のうち、信号補正回路の詳細な構成を示す回路ブロック図である。
【図４】３画素移動平均の説明に供される線図である。
【図５】濃度とコントラストに応じて補正を行う処理の説明に供される特性図である。
【図６】一般的にリニアイメージセンサの模式的構成を示す斜視図である。
【図７】従来の技術に係る移動平均用重みの説明に供される線図である。
【図８】従来の技術に係る２画素移動平均による問題点の説明に供される線図である。
【符号の説明】
１、１ａ〜１ｃ…リニアイメージセンサ
２…受光部                        ３ｏ、３ｅ…転送部
４ｏ、４ｅ…ＦＤＡ                ６１〜６３…レジスタ
７１…連続３画素移動平均器        ７５…濃度演算器
７６…コントラスト演算器          Ｃｘ…コントラスト対応信号
Ｄｘ…濃度対応信号                Ｓ…当該画素信号
Ｓｐ…前画素信号                  Ｓａ…後画素信号
Ｓｏ…奇数画素信号                Ｓｅ…偶数画素信号
【図１】
0003738080.tif 000004
【図２】
0003738080.tif 000005
【図３】
0003738080.tif 000006
【図４】
0003738080.tif 000007
【図５】
0003738080.tif 000008
【図６】
0003738080.tif 000009
【図７】
0003738080.tif 000010
【図８】
0003738080.tif 000011